(57)【特許請求の範囲】
【請求項１】
作動状態とスタンバイ状態との間で間欠的に動作する機器に用いられる蓄電池装置であって、
前記作動状態と前記スタンバイ状態との間に前記機器に電力を供給するように接続された第１の蓄電池と、
第２の蓄電池と、
前記第１の蓄電池と前記第２の蓄電池との間に位置する第１のスイッチと、前記第２の蓄電池と前記機器との間に位置する第２のスイッチとを有する接続回路と、
前記スタンバイ状態の間に前記第１のスイッチを閉じて前記第２のスイッチを開くように前記接続回路を制御し、前記作動状態の間に前記第１のスイッチを開いて前記第２のスイッチを閉じるように前記接続回路を制御する制御回路と
を有する蓄電池装置。
【請求項２】
前記第１の蓄電池は、前記スタンバイ状態の間に前記第２の蓄電池に充電する請求項１に記載の蓄電池装置。
【請求項３】
前記第２の蓄電池と前記第１のスイッチとの間に位置する充電回路を更に有する請求項１に記載の蓄電池装置。
【請求項４】
前記第２のスイッチと前記機器との間に位置する変換器を更に有する請求項１に記載の蓄電池装置。
【請求項５】
作動状態とスタンバイ状態との間で間欠的に動作する機器に用いられる蓄電池装置であって、
前記機器に電力を供給するように接続された第１の蓄電池と、
接続回路と、
第２の蓄電池と、
前記作動状態のときに前記第２の蓄電池を前記機器に接続し、前記スタンバイ状態のときに前記第１の蓄電池から前記第２の蓄電池に充電するように前記接続回路を制御する制御回路と
を有する蓄電池装置。
【請求項６】
前記スタンバイ状態のときに、前記制御回路は、前記機器から前記第２の蓄電池を切断し、前記第２の蓄電池を前記第１の蓄電池に接続する請求項５に記載の蓄電池装置。
【請求項７】
前記スタンバイ状態のときに、前記制御回路は、前記第２の蓄電池を前記第１の蓄電池に接続する請求項５に記載の蓄電池装置。
【請求項８】
前記第２の蓄電池と前記第１の蓄電池との間に位置する充電回路を更に有する請求項５に記載の蓄電池装置。
【請求項９】
前記第２の蓄電池と前記機器との間に位置する変換器を更に有する請求項５に記載の蓄電池装置。
【請求項１０】
蓄電池装置を有し、作動状態とスタンバイ状態との間で間欠的に動作する端末であって、
前記蓄電池装置は、
前記端末に電力を供給するように接続された第１の蓄電池と、
接続回路と、
第２の蓄電池と、
前記作動状態のときに前記第２の蓄電池を前記端末に接続し、前記スタンバイ状態のときに前記第１の蓄電池から前記第２の蓄電池に充電するように前記接続回路を制御する制御回路と
を有する端末。
【請求項１１】
前記スタンバイ状態のときに、前記制御回路は、前記端末から前記第２の蓄電池を切断し、前記第２の蓄電池を前記第１の蓄電池に接続する請求項１０に記載の端末。
【請求項１２】
前記スタンバイ状態のときに、前記制御回路は、前記第２の蓄電池を前記第１の蓄電池に接続する請求項１０に記載の端末。
【請求項１３】
前記第２の蓄電池と前記第１の蓄電池との間に位置する充電回路を更に有する請求項１０に記載の端末。
【請求項１４】
前記第２の蓄電池と前記蓄電池装置の出力との間に位置する変換器を更に有する請求項１０に記載の端末。
【発明の詳細な説明】
発明の分野
本発明は、少なくとも１つの蓄電池素子により構成された第１の蓄電池組立体と、
少なくとも１つの蓄電池素子により構成された第２の蓄電池組立体とを備える、待機状態と作動状態との間で間欠的に動作する機器に用いられる蓄電池装置に関する。
本発明は、また、かかる装置を備える電気通信端末にも関する。
かかる装置は、特に無線電話用やＧＳＭ用端末等の電気通信装置において、非常に有意義な用途を有している。
発明の背景
この種の装置は欧州特許０  ６８８  ０８２に記載されている。この文献は主蓄電池をバックアップ蓄電池により補助することを提案している。バックアップ蓄電池のエネルギーはデータを維持するのに十分であるため、主蓄電池が放電した場合にもデータ損失を招くことなく主蓄電池を交換できる。
本発明は、バックアップ機能を有するが、間欠的に動作する装置に適したこの種の装置を提案する。特に、通信時に８分の１の時間しか動作しないＧＳＭ網端末等の場合に間欠的な動作が行われる。
発明の概要
従って、かかる装置は、
前記組立体を、少なくとも１つのスイッチ素子を備える前記機器に接続する接続回路と、
作動状態の間、前記第２の組立体を前記機器に接続させる前記スイッチ素子の制御回路とを更に備えることを特徴とする。
【図面の簡単な説明】
本発明のこれらの及びその他の側面は以下に説明する実施例を参照することにより明らかとなろう。
図１は、本発明に係る端末を示し、
図２は、ＧＳＭフレームを示し、
図３は、本発明に係る装置を示す。
好ましい実施例の説明
図１に示す端末は例えばＧＳＭ端末である。この端末はケース１を備えている。ケース１には、マイクロフォン２、スクリーン３，キーボード４、耳当て５、及びアンテナ６が設けられている。また、この装置は電源を供給する２つの蓄電池組立体１０及び１１を含んでいる。蓄電池１０はいわゆるパック電池を構成する主蓄電池であり、蓄電池１１はケース１の内部に設置されて図中に破線で表される補助蓄電池を構成している。
この端末は、ＧＳＭ送信システムにより生成される時間フレームに設けられた時間スロットＴ１、Ｔ２、Ｔ３、．．．においてのみ送信を行うことができる。これらの時間スロットＴ１、Ｔ２、Ｔ３、．．．は、端末が休止状態となる７つの時間スロットにより分離されている。
本発明によれば、時間スロットＴ１、Ｔ２、Ｔ３、．．．の間、端末への電源供給は補助蓄電池により行われる。
かかる電源供給を行う装置が図３に示されている。蓄電池１０はリチウム型蓄電池素子の組立体により構成されている。リチウム型蓄電池素子は、多量のエネルギーを収容するが、その放電回路においてエネルギーを速やかに回復することはできない。蓄電池１１は、米国特許第５，０４７，３００号に記載される如く、鉛蓄電池型の蓄電池素子より構成されている。この型式の蓄電池はその放電回路での急速な放電に良好に適合されている。これら２つの蓄電池１０及び１１は：
蓄電池１０及び１１を相互接続するスイッチ回路２０及び放電回路２１からなる第１の直列結合と、
第２のスイッチ回路２５、及び、蓄電池１１が発生する電圧を、端末がその電源供給端子２７を介して要求する電圧に適合させる変換器２６からなる第２の直列結合と、
蓄電池を負荷に直接接続する接続部２８と、
により構成された接続回路により接続されている。
回路２１は単純な配線により構成されてもよく、あるいは、組立体１１の負荷を調整する回路より構成されてもよい。
図中の参照番号３０は、本端末の電子回路を示している。この回路３０において、上記時間スロットＴ１、Ｔ２、Ｔ３の間にアクティブ状態となり、特に送信時間を管理するマイクロプロセッサ３５から出力される信号が得られる。
この信号に基づいて、制御回路４０はスイッチ要素２０及び２５に対して以下のように制御信号を供給する。
端末が休止状態にある場合、端末の電源は蓄電池１０により直接供給されてスイッチ素子２０は閉じられ、これにより、蓄電池１１の充電が保証される。スイッチ要素２５は開かれる。
端末が作動状態にある場合、端末の電源は変換器２６により供給される。変換器２６は蓄電池１１のエネルギーを得ることにより所要の電圧を供給する。スイッチ素子２０は開かれ、これにより、蓄電池１１は蓄電池１０から分離される。この場合、スイッチ素子２５は閉じられる。変換器２６により供給される電圧は蓄電池１０の補助を開始する。
変形例として、接続部２８を破線で示す接続部２８’に置き換えることもできる。この接続部はスイッチ素子４２を備えている。スイッチ素子４２は、回路４０の制御の下で作動状態の間、接続を遮断する。従って、スイッチ素子４２は開位置とされる。
スイッチ素子を、蓄電池素子の直列及び／又は並列の組立体により構成してもよい。この場合、スイッチ素子２０、２５、４２はＭＯＳ型固体スイッチであってもよい。蓄電池は大容量コンデンサにより構成されてもよい。
【図１】
0003830531.tif 000002
【図２】
0003830531.tif 000003
【図３】
0003830531.tif 000004